(57)【要約】【課題】摂取対象物の摂取量を測定するとともに、目標摂取量を達成できているかを簡便に把握可能な秤、測定システム及び端末機を提供する。【解決手段】摂取対象物が乗せられる秤量台と、秤量台に与えられた荷重を測定するための荷重測定部と、摂取対象物の摂取目標量を設定するための操作部と、摂取目標量及び荷重測定部が測定した荷重値を記憶する記憶部と、摂取目標量から、荷重測定部が測定した荷重値を減算することによって、残りの摂取目標量を演算する演算部と、残りの摂取目標量を表示する表示部と、を備える。【選択図】図２
2014153227.tif 000002
【特許請求の範囲】
【請求項１】
摂取対象物が乗せられる秤量台と、
前記秤量台に与えられた荷重を測定するための荷重測定部と、
摂取対象物の摂取目標量を設定するための操作部と、
前記摂取目標量及び前記荷重測定部が測定した荷重値を記憶する記憶部と、
前記摂取目標量から、前記荷重測定部が測定した荷重値を減算することによって、残りの摂取目標量を演算する演算部と、
前記残りの摂取目標量を表示する表示部と、
を備えることを特徴とする秤。
【請求項２】
前記演算部は、前記摂取目標量から、前記荷重測定部が前回以前に測定した荷重値と、前記荷重測定部が今回測定した荷重値と、を減算することによって前記残りの摂取目標量を演算することを特徴とする請求項１に記載の秤。
【請求項３】
前記演算部は、前記荷重測定部が前回以前に測定した荷重値と、前記荷重測定部が今回測定した荷重値と、を合算することによって合計荷重値を演算し、前記表示部は、前記合計荷重値を表示することを特徴とする請求項１又は請求項２に記載の秤。
【請求項４】
前記演算部は、前記荷重測定部が前回以前に測定した荷重値と、前記荷重測定部が今回測定した荷重値と、を合算することによって合計荷重値を演算するとともに、前記摂取目標量及び前記合計荷重値から摂取達成度を演算し、前記表示部は、前記摂取達成度を表示することを特徴とする請求項１乃至請求項３のうち、いずれか１に記載の秤。
【請求項５】
前記記憶部は、少なくとも、１日当たりの摂取対象物の推奨摂取量及び１食当たりの摂取対象物の推奨摂取量を記憶しており、
前記操作部の操作により選択されたいずれかの前記推奨摂取量の値を、前記摂取目標量として記憶することを特徴とする請求項１乃至請求項４のうち、いずれか１に記載の秤。
【請求項６】
前記記憶部は、前記操作部の操作により入力された人数データと、前記選択された前記摂取推奨量の値と、を乗じた値を、前記摂取目標量として記憶することを特徴とする請求項５に記載の秤。
【請求項７】
前記記憶部は、少なくとも、１食当たりの摂取対象物の推奨摂取量として、第１推奨摂取量、前記第１推奨摂取量よりも多い第２推奨摂取量、及び、前記第２推奨摂取量よりも多い第３推奨摂取量、を記憶しており、
前記操作部の操作により選択された、前記第１推奨摂取量、前記第２推奨摂取量又は前記第３推奨摂取量のいずれかの値を、前記摂取目標量として記憶することを特徴とする請求項１乃至請求項６のうち、いずれか１に記載の秤。
【請求項８】
前記記憶部は、前記操作部の操作により入力された人数データと、前記選択された前記第１推奨摂取量、前記第２推奨摂取量又は前記第３推奨摂取量の値と、を乗じた値を、前記摂取目標量として記憶することを特徴とする請求項７に記載の秤。
【請求項９】
前記記憶部は、少なくとも、１食当たりの摂取対象物の推奨摂取量として、第１推奨摂取量、前記第１推奨摂取量よりも多い第２推奨摂取量、及び、前記第２推奨摂取量よりも多い第３推奨摂取量、を記憶しており、
前記操作部の操作により入力された、前記第１推奨摂取量の該当人数データ、前記第２推奨摂取量の該当人数データ、及び、前記第３推奨摂取量の該当人数データ、に基づいて、前記演算部が演算した推奨摂取量の値を、前記摂取目標量として記憶することを特徴とする請求項１乃至請求項６のうち、いずれか１に記載の秤。
【請求項１０】
前記摂取目標量は、前記操作部の操作によって入力された使用者の年齢、性別、体格及び／又は外食率に関するデータに基づいて、前記演算部によって補正されることを特徴とする請求項１乃至請求項９のうち、いずれか１に記載の秤。
【請求項１１】
前記操作部は、前記秤量台に乗せる摂取対象物である野菜が、緑黄色野菜であることを入力するための第１操作部と、緑黄色野菜以外の野菜であることを入力するための第２操作部と、を含み、
前記演算部は、
前記第１操作部の入力と関連付けられた荷重値に関して、前記荷重測定部が前回以前に測定した荷重値と、前記荷重測定部が今回測定した荷重値と、を合算することによって、緑黄色野菜の合計荷重値を演算し、
前記第２操作部の入力と関連付けられた荷重値に関して、前記荷重測定部が前回以前に測定した荷重値と、前記荷重測定部が今回測定した荷重値と、を合算することによって、緑黄色野菜以外の野菜の合計荷重値を演算し、
前記表示部は、前記緑黄色野菜の合計荷重値、及び、前記緑黄色野菜以外の野菜の合計荷重値を表示すること
を特徴とする請求項１乃至請求項１０のうち、いずれか１に記載の秤。
【請求項１２】
前記操作部は、前記秤量台に乗せる摂取対象物の種類を入力する種類入力部を含み、
前記演算部は、前記種類入力部の入力と関連付けられた荷重値に関して、前記荷重測定部が前回以前に測定した荷重値と、前記荷重測定部が今回測定した荷重値と、を合算することによって、摂取対象物の種類ごとに合計荷重値を演算することを特徴とする請求項１乃至請求項１１のうち、いずれか１に記載の秤。
【請求項１３】
前記摂取目標量は、前記操作部の操作によって入力された、成長促進、美容、病気予防又はダイエットに関する目的データに基づいて、摂取を推奨する摂取対象物ごとに、前記演算部によって決定されることを特徴とする請求項１２に記載の秤。
【請求項１４】
前記記憶部は、可食率を摂取対象物の種類に対応して示した可食率テーブルを備え、
前記演算部は、前記種類入力部の入力と関連付けられた荷重値を、前記可食率テーブルに基づいて補正することを特徴とする請求項１２又は請求項１３に記載の秤。
【請求項１５】
前記操作部は、前記秤量台に乗せる摂取対象物の調理法を入力する調理法入力部を含み、
前記記憶部は、調理による摂取対象物の重量変化率を野菜の種類及び調理法に対応して示した重量変化率テーブルを備え、
前記演算部は、前記種類入力部及び前記調理法入力部の各入力と関連付けられた荷重値を、重量変化率テーブルに基づいて補正することを特徴とする請求項１２乃至請求項１４のうち、いずれか１に記載の秤。
【請求項１６】
前記荷重測定部が荷重値を測定したときの時刻を取得する時間情報取得部を備え、
前記記憶部は、前記荷重測定部が測定した荷重値を前記時刻に対応させて記憶すること
を特徴とする請求項１乃至請求項１５のうち、いずれか１に記載の秤。
【請求項１７】
前記荷重測定部が荷重値を測定したときの曜日及び時刻を取得する時間情報取得部と、摂取パターン取得部と、を備え、
前記記憶部は、前記荷重測定部が測定した荷重値を前記曜日及び時刻に対応させて記憶し、
前記摂取パターン取得部は、前記記憶部に記憶された前記荷重値と前記曜日及び時刻とに基づいて、食事の時間帯と毎食事時における摂取対象物の摂取量とに関する摂取対象物摂取パターン情報を取得し、
前記演算部は、前記摂取目標量に対する摂取対象物摂取量の摂取達成度を、前記摂取対象物摂取パターン情報に基づく補正をして演算し、
前記表示部は、前記摂取達成度を表示すること
を特徴とする請求項１乃至請求項１５のうち、いずれか１に記載の秤。
【請求項１８】
秤と、端末機と、からなる測定システムであって、
前記秤は、
摂取対象物が乗せられる秤量台と、
前記秤量台に与えられた荷重を測定するための荷重測定部と、
前記端末機とデータの通信を行う秤側通信部と、を備え、
前記端末機は、
前記秤とデータの通信を行う端末機側通信部と、
摂取対象物の摂取目標量を設定するための操作部と、
前記摂取目標量及び前記荷重測定部が測定した荷重値を記憶する記憶部と、
前記摂取目標量から、前記荷重測定部が測定した荷重値を減算することによって、残りの摂取目標量を演算する演算部と、
前記残りの摂取目標量を表示する表示部と、を備えること
を特徴とする測定システム。
【請求項１９】
端末機と、秤と、からなる測定システムであって、
前記端末機は、
前記秤とデータの通信を行う端末機側通信部と、
摂取対象物の摂取目標量を設定するための操作部と、を備え、
前記秤は、
摂取対象物が乗せられる秤量台と、
前記秤量台に与えられた荷重を測定するための荷重測定部と、
前記端末機とデータの通信を行う秤側通信部と、
前記摂取目標量及び前記荷重測定部が測定した荷重値を記憶する記憶部と、
前記摂取目標量から、前記荷重測定部が測定した荷重値を減算することによって、残りの摂取目標量を演算する演算部と、
前記残りの摂取目標量を表示する表示部と、
を備えることを特徴とする測定システム。
【請求項２０】
秤で測定された荷重値を入力する入力部と、
摂取対象物の摂取目標量を設定するための操作部と、
前記摂取目標量及び前記入力部により入力された荷重値を記憶する記憶部と、
前記摂取目標量から、前記入力部から入力された荷重値を減算することによって、残りの摂取目標量を演算する演算部と、
前記残りの摂取目標量を表示する表示部と、を備えること
を特徴とする端末機。
【請求項２１】
秤で測定された荷重値を受け取る通信部と、
摂取対象物の摂取目標量を設定するための操作部と、
前記摂取目標量及び前記通信部から受け取った荷重値を記憶する記憶部と、
前記摂取目標量から、前記通信部から受け取った荷重値を減算することによって、残りの摂取目標量を演算する演算部と、
前記残りの摂取目標量を表示する表示部と、を備えること
を特徴とする端末機。
【発明の詳細な説明】
【技術分野】
【０００１】
本発明は、摂取対象物（特に野菜）の摂取量を測定するとともに、目標摂取量（目標制限摂取量を含む。）を達成できているかを簡便に把握可能な秤、測定システム及び端末機に関する。
【背景技術】
【０００２】
生命維持、成長、身体的な健康という観点から、栄養状態を適正に保つために必要な栄養素等を摂取することが求められており、厚生労働省は、国民の健康及び生活の質の向上を図るために、適正な栄養素（食物）摂取に関して、「２１世紀における国民健康づくり運動（健康日本２１）の推進について」を発表している。その中で、例えば野菜の摂取量に関して、成人の１日当たりの目標摂取量は生野菜の状態で３５０ｇとされており、人はこのような目標摂取量を達成するような食生活を心がけることが望ましい。前記のような目標摂取量を達成する野菜を摂取しているか否かを知るためには、毎食事時に、これから摂取する野菜を測定する必要があり、そのような測定をするための手段としては、従来から、キッチンスケール又はクッキングスケールと呼ばれている秤がある（特許文献１参照）。
【先行技術文献】
【特許文献】
【０００３】
【特許文献１】特開２０１２−８３３２９号公報
【発明の概要】
【発明が解決しようとする課題】
【０００４】
しかしながら、従来の秤によれば、毎食事時（調理前）に測定した野菜の摂取量（測定値）を、使用者自身が別途記録し、その記録から１日の総摂取量（測定値の合計値）を計算し、その計算結果を目標摂取量と対比して、目標摂取量に対してどの程度達成しているのかを評価する必要があった。そのため、毎食事時の記録作業、合計値の計算作業、目標摂取量に対する達成度の評価作業、など総ての作業を使用者自らが行わなければならなかった。特に、このような作業は、一定量の野菜を摂取するという食生活にかかわるものであるため、習慣的に継続して行っていく必要がある点に意義がある反面、毎食事時に行うことは煩雑であるため、これを理由として、野菜の摂取量のチェックを諦めてしまうことにも繋がりかねない。
【０００５】
そこで本発明は、摂取対象物（特に野菜）の摂取量を測定するとともに、目標摂取量（目標制限摂取量を含む。）を達成できているかを簡便に把握可能な秤、測定システム及び端末機を提供することを目的とする。
【課題を解決するための手段】
【０００６】
上記課題を解決するために、本発明の秤は、摂取対象物が乗せられる秤量台と、前記秤量台に与えられた荷重を測定するための荷重測定部と、摂取対象物の摂取目標量を設定するための操作部と、前記摂取目標量及び前記荷重測定部が測定した荷重値を記憶する記憶部と、前記摂取目標量から、前記荷重測定部が測定した荷重値を減算することによって、残りの摂取目標量を演算する演算部と、前記残りの摂取目標量を表示する表示部と、を備えることを特徴とする。
【０００７】
また、本発明の秤において、前記演算部は、前記摂取目標量から、前記荷重測定部が前回以前に測定した荷重値と、前記荷重測定部が今回測定した荷重値と、を減算することによって前記残りの摂取目標量を演算することを特徴とする。
【０００８】
また、本発明の秤において、前記演算部は、前記荷重測定部が前回以前に測定した荷重値と、前記荷重測定部が今回測定した荷重値と、を合算することによって合計荷重値を演算し、前記表示部は、前記合計荷重値を表示することを特徴とする。
【０００９】
また、本発明の秤において、前記演算部は、前記荷重測定部が前回以前に測定した荷重値と、前記荷重測定部が今回測定した荷重値と、を合算することによって合計荷重値を演算するとともに、前記摂取目標量及び前記合計荷重値から摂取達成度を演算し、前記表示部は、前記摂取達成度を表示することを特徴とする。
【００１０】
また、本発明の秤において、前記記憶部は、少なくとも、１日当たりの摂取対象物の推奨摂取量及び１食当たりの摂取対象物の推奨摂取量を記憶しており、前記操作部の操作により選択されたいずれかの前記推奨摂取量の値を、前記摂取目標量として記憶することを特徴とする。
【００１１】
また、本発明の秤において、前記記憶部は、前記操作部の操作により入力された人数データと、前記選択された前記摂取推奨量の値と、を乗じた値を、前記摂取目標量として記憶することを特徴とする。
【００１２】
また、本発明の秤において、前記記憶部は、少なくとも、１食当たりの摂取対象物の推奨摂取量として、第１推奨摂取量、前記第１推奨摂取量よりも多い第２推奨摂取量、及び、前記第２推奨摂取量よりも多い第３推奨摂取量、を記憶しており、前記操作部の操作により選択された、前記第１推奨摂取量、前記第２推奨摂取量又は前記第３推奨摂取量のいずれかの値を、前記摂取目標量として記憶することを特徴とする。
【００１３】
また、本発明の秤において、前記記憶部は、前記操作部の操作により入力された人数データと、前記選択された前記第１推奨摂取量、前記第２推奨摂取量又は前記第３推奨摂取量の値と、を乗じた値を、前記摂取目標量として記憶することを特徴とする。
【００１４】
また、本発明の秤において、前記記憶部は、少なくとも、１食当たりの摂取対象物の推奨摂取量として、第１推奨摂取量、前記第１推奨摂取量よりも多い第２推奨摂取量、及び、前記第２推奨摂取量よりも多い第３推奨摂取量、を記憶しており、前記操作部の操作により入力された、前記第１推奨摂取量の該当人数データ、前記第２推奨摂取量の該当人数データ、及び、前記第３推奨摂取量の該当人数データ、に基づいて、前記演算部が演算した推奨摂取量の値を、前記摂取目標量として記憶することを特徴とする。
【００１５】
また、本発明の秤において、前記摂取目標量は、前記操作部の操作によって入力された使用者の年齢、性別、体格及び／又は外食率に関するデータに基づいて、前記演算部によって補正されることを特徴とする。
【００１６】
本発明の秤において、前記操作部は、前記秤量台に乗せる摂取対象物である野菜が、緑黄色野菜であることを入力するための第１操作部と、緑黄色野菜以外の野菜であることを入力するための第２操作部と、を含み、前記演算部は、前記第１操作部の入力と関連付けられた荷重値に関して、前記荷重測定部が前回以前に測定した荷重値と、前記荷重測定部が今回測定した荷重値と、を合算することによって、緑黄色野菜の合計荷重値を演算し、前記第２操作部の入力と関連付けられた荷重値に関して、前記荷重測定部が前回以前に測定した荷重値と、前記荷重測定部が今回測定した荷重値と、を合算することによって、緑黄色野菜以外の野菜の合計荷重値を演算し、前記表示部は、前記緑黄色野菜の合計荷重値、及び、前記緑黄色野菜以外の野菜の合計荷重値を表示することを特徴とする。
【００１７】
また、本発明の秤において、前記操作部は、前記秤量台に乗せる摂取対象物の種類を入力する種類入力部を含み、前記演算部は、前記種類入力部の入力と関連付けられた荷重値に関して、前記荷重測定部が前回以前に測定した荷重値と、前記荷重測定部が今回測定した荷重値と、を合算することによって、摂取対象物の種類ごとに合計荷重値を演算することを特徴とする。
【００１８】
また、本発明の秤において、前記摂取目標量は、前記操作部の操作によって入力された、成長促進、美容、病気予防又はダイエットに関する目的データに基づいて、摂取を推奨する摂取対象物ごとに、前記演算部によって決定されることを特徴とする。
【００１９】
また、本発明の秤において、前記記憶部は、可食率を摂取対象物の種類に対応して示した可食率テーブルを備え、前記演算部は、前記種類入力部の入力と関連付けられた荷重値を、前記可食率テーブルに基づいて補正することを特徴とする。
【００２０】
また、本発明の秤において、前記操作部は、前記秤量台に乗せる摂取対象物の調理法を入力する調理法入力部を含み、前記記憶部は、調理による摂取対象物の重量変化率を野菜の種類及び調理法に対応して示した重量変化率テーブルを備え、前記演算部は、前記種類入力部及び前記調理法入力部の各入力と関連付けられた荷重値を、重量変化率テーブルに基づいて補正することを特徴とする。
【００２１】
また、本発明の秤において、前記荷重測定部が荷重値を測定したときの時刻を取得する時間情報取得部を備え、前記記憶部は、前記荷重測定部が測定した荷重値を前記時刻に対応させて記憶することを特徴とする。
【００２２】
また、本発明の秤において、前記荷重測定部が荷重値を測定したときの曜日及び時刻を取得する時間情報取得部と、摂取パターン取得部と、を備え、前記記憶部は、前記荷重測定部が測定した荷重値を前記曜日及び時刻に対応させて記憶し、前記摂取パターン取得部は、前記記憶部に記憶された前記荷重値と前記曜日及び時刻とに基づいて、食事の時間帯と毎食事時における摂取対象物の摂取量とに関する摂取対象物摂取パターン情報を取得し、前記演算部は、前記摂取目標量に対する摂取対象物摂取量の摂取達成度を、前記摂取対象物摂取パターン情報に基づく補正をして演算し、前記表示部は、前記摂取達成度を表示することを特徴とする。
【００２３】
また、本発明の測定システムは、秤と、端末機と、からなる測定システムであって、前記秤は、摂取対象物が乗せられる秤量台と、前記秤量台に与えられた荷重を測定するための荷重測定部と、前記通信端末機とデータの通信を行う秤側通信部と、を備え、前記端末機は、前記秤とデータの通信を行う端末機側通信部と、摂取対象物の摂取目標量を設定するための操作部と、前記摂取目標量及び前記荷重測定部が測定した荷重値を記憶する記憶部と、前記摂取目標量から、前記荷重測定部が測定した荷重値を減算することによって、残りの摂取目標量を演算する演算部と、前記残りの摂取目標量を表示する表示部と、を備えることを特徴とする。
【００２４】
また、本発明の測定システムは、端末機と、秤と、からなる測定システムであって、前記端末機は、前記秤とデータの通信を行う端末機側通信部と、摂取対象物の摂取目標量を設定するための操作部と、を備え、前記秤は、摂取対象物が乗せられる秤量台と、前記秤量台に与えられた荷重を測定するための荷重測定部と、前記通信端末機とデータの通信を行う秤側通信部と、前記摂取目標量及び前記荷重測定部が測定した荷重値を記憶する記憶部と、前記摂取目標量から、前記荷重測定部が測定した荷重値を減算することによって、残りの摂取目標量を演算する演算部と、前記残りの摂取目標量を表示する表示部と、を備えることを特徴とする。
【００２５】
また、本発明の端末機は、秤で測定された荷重値を入力する入力部と、摂取対象物の摂取目標量を設定するための操作部と、前記摂取目標量及び前記入力部により入力された荷重値を記憶する記憶部と、前記摂取目標量から、前記入力部から入力された荷重値を減算することによって、残りの摂取目標量を演算する演算部と、前記残りの摂取目標量を表示する表示部と、を備えることを特徴とする。
【００２６】
また、本発明の端末機は、秤で測定された荷重値を受け取る通信部と、摂取対象物の摂取目標量を設定するための操作部と、前記摂取目標量及び前記通信部から受け取った荷重値を記憶する記憶部と、前記摂取目標量から、前記通信部から受け取った荷重値を減算することによって、残りの摂取目標量を演算する演算部と、前記残りの摂取目標量を表示する表示部と、を備えることを特徴とする。
【発明の効果】
【００２７】
本発明によると、摂取対象物の摂取量を測定するとともに、目標摂取量を達成できているかを簡便に把握可能な秤、測定システム及び端末機を提供することができる。
【図面の簡単な説明】
【００２８】
【図１】本発明の実施形態に係るクッキングスケールの全体斜視図である。
【図２】本発明の実施形態に係るクッキングスケールの構成を示すブロック図である。
【図３】本発明の実施形態に係るクッキングスケールの設定の流れを説明するための、表示部の表示遷移の図である。
【図４】本発明の実施形態に係るクッキングスケールの設定における目標レベルの選択の流れを説明するための、表示部の表示遷移の図である。
【図５】本発明の実施形態に係るクッキングスケールの設定における摂取目標値を直接入力する場合の流れを説明するための、表示部の表示遷移の図である。
【図６】本発明の実施形態に係るクッキングスケールによる測定の流れを説明するための、表示部の表示遷移の図である。
【図７】本発明の実施形態に係るクッキングスケールによる測定において、摂取目標量を達成した場合の祝福画像の表示例を示す図である。
【図８】変形例１における設定の流れを説明するための、表示部の表示遷移の図である。
【図９】変形例１における設定の流れを説明するための、表示部の表示遷移の図である。
【図１０】第２実施形態におけるテーブルの例を示す表である。
【発明を実施するための形態】
【００２９】
以下、本発明の秤の実施形態としてのクッキングスケールについて図面を参照しつつ詳しく説明する。なお、以下では、摂取対象物が野菜である場合を例にして説明するが、本発明の秤及び測定システムは、摂取対象物が野菜である場合に限定されるものではない。
＜第１実施形態＞
１．クッキングスケール１０の構成
図１は、第１実施形態に係るクッキングスケール１０の全体斜視図、図２は、クッキングスケール１０の構成を示すブロック図である。
クッキングスケール１０は、料理用の材料（食物、摂取対象物。特に野菜）の重量を測定する秤であって、図１又は図２に示すように、秤量台２１、荷重測定部としてのロードセル２０、操作部３０、記憶部４０、演算部５０、判別部６０、表示部７０、制御部８０を備える。
なお、荷重測定部は、ロードセルに限られず、静電容量式センサーその他の重量測定手段を採択することができる。
【００３０】
秤量台２１は、ケース１１の内部に配置されたロードセル２０上に載置されており、秤量台２１の平坦面上に野菜その他の測定対象物を乗せることができるようになっている。ロードセル２０は、測定対象物を秤量台２１に乗せることによって秤量台２１に与えられた荷重を測定する。秤量台２１及びロードセル２０の構成や配置等については、例えば、上述の特許文献１に記載のものとすることができるため、詳細な説明は省略する。
【００３１】
操作部３０（図２参照）は、少なくとも、野菜の摂取目標量を設定するために用いられ、本実施形態においては４つの操作ボタン３１、３２、３３、３４（図１参照）からなる。これらのボタンの機能等について以下に例示する。
操作ボタン３１（オフボタン、数値増加ボタン）は、クッキングスケール１０の電源を切る機能、操作ボタン３２と対になって表示や設定を切り替える機能、を備える。
操作ボタン３２（オンボタン、風袋量控除ボタン、数値減少ボタン）は、クッキングスケール１０の電源を入れる機能、風袋量を控除する機能、操作ボタン３１と対になって表示や設定を切り替える機能、を備える。なお、風袋量を控除する機能は、測定対象物を秤量台２１上に直接乗せるのではなく、適当な器に入れた測定対象物を秤量台２１上に乗せて、測定対象物の重量を測定したい場合に用いる機能である。これは、最初に空の器のみを秤量台２１に乗せてその重量（風袋量）を測定し、その重量による荷重値が安定したところで操作ボタン３２を押すと、キッチンスケール１０は、この荷重値を風袋量として記憶すると共に、この荷重値を「０．０ｇ」として表示する機能である。更に、その後、前記器に入れられた測定対象物を、前記器に入れられたまま秤量台２１上に置いて測定を行うと、表示部７０には、風袋量を控除した重量、即ち測定対象物のみの重量が表示されるという機能である。
操作ボタン３３（合計クリアボタン）は、記憶部４０に記憶された合計荷重値をクリアする機能を備える。
操作ボタン３４（＋ボタン、目標設定ボタン）は、設定モードの起動、野菜の摂取目標量の設定、測定された荷重値の合計（合計荷重値の演算）等に用いる。
【００３２】
記憶部４０は、摂取目標量その他の設定値（操作部３０の操作によって入力された使用者の年齢、性別、体格及び／又は生活習慣に関するデータなど）、各種の推奨摂取量（１日当たりの野菜の推奨摂取量、１食当たりの野菜の推奨摂取量（第１推奨摂取量、第２推奨摂取量、第３推奨摂取量））、ロードセル２０による測定結果（荷重値）、演算部５０による演算に必要な情報及び演算結果、判別部６０による判別に必要な情報及び判別結果、フラグデータ、各種データテーブル、などを記憶する。
特に、記憶部４０は、操作部３０の操作により選択された１日当たりの野菜の推奨摂取量又は１食当たりの野菜の推奨摂取量のいずれかの値を、摂取目標量として記憶する。また、記憶部４０は、操作部３０の操作により選択された、第１推奨摂取量、第２推奨摂取量又は第３推奨摂取量のいずれかの値を、摂取目標量として記憶する。
【００３３】
演算部５０は、設定及び測定に必要な各種の演算処理を実行する。演算部５０は、摂取目標量から、ロードセル２０により測定された荷重値を減算することによって、残りの摂取目標量を演算する。また、演算部５０は、摂取目標量から、ロードセル２０が前回以前に測定した荷重値と、ロードセル２０が今回測定した荷重値と、を減算することによって残りの摂取目標量を演算する。また、演算部５０は、ロードセル２０が前回以前に測定した荷重値と、ロードセル２０が今回測定した荷重値と、を合算することによって合計荷重値を演算する。また、演算部５０は、摂取目標量及び合計荷重値から摂取達成度を演算する。
【００３４】
判別部６０は、合計荷重値が摂取目標量を達成したか否かを判別するとともに、達成したと判別した場合には、フラグデータを書き換えて、摂取目標量を達成したことを示す達成フラグを立てる。また、判別部６０は、前記達成フラグが立っている場合に、所定条件が成立したか否かを判別し、成立した場合には、祝福フラグを立てる。
【００３５】
制御部８０は、ロードセル２０、操作部３０、記憶部４０、演算部５０、判別部６０、及び表示部７０に接続され、これらの動作を制御する。
ここで、記憶部４０、演算部５０、判別部６０、及び制御部８０は、例えば半導体回路で構成する。演算部５０、判別部６０、及び制御部８０は、一部又は総てを共通の回路で構成してもよい。
【００３６】
表示部７０は、例えば液晶パネルであって、摂取目標量（初期設定された摂取目標量、残りの摂取目標量）、合計荷重値、摂取達成度、ロードセル２０による測定結果、演算部５０による各種演算結果などを表示する。
【００３７】
以下、本実施形態におけるクッキングスケール１０の設定処理及び測定処理について説明する。これらの説明では、モデルケースとして、クッキングスケール１０を４人家族の家庭において使用する場合であって、１日３回の食事（朝食、昼食、夕食）の毎食事時（各調理時）に、４人分の１食当たりの野菜摂取量（調理する野菜の分量）を測定することにより、４人分の１食当たりの摂取目標量を満たしているか否かを把握することを目的して使用すること、を前提とするものである。なお、クッキングスケール１０は、４人以外の人数分の測定を行うことができることは言うまでもない。また、以下では、操作ボタン３２による風袋量控除のための操作の説明は省略する。
【００３８】
２．初期設定
図３〜図５を参照して、測定前に行うクッキングスケール１０の設定処理（初期設定）について説明する。
【００３９】
本実施形態のクッキングスケール１０では、初期設定の操作の利便性を向上させるために、１日当たりの野菜の推奨摂取量及び１食当たりの野菜の推奨摂取量が記憶部４０に予め記憶されている。更に、１食当たりの野菜の推奨摂取量としては、第１推奨摂取量、前記第１推奨摂取量よりも多い第２推奨摂取量、及び／又は、前記第２推奨摂取量よりも多い第３推奨摂取量、が記憶部４０に予め記憶されている。より具体的には、１日当たりの野菜の推奨摂取量及び１食当たりの野菜の推奨摂取量は、以下のように、目標レベル１〜レベル５までの５段階で構成されている。
目標レベル１：１人当たり１００ｇ（１食当たりの野菜の推奨摂取量、第１推奨摂取量）
目標レベル２：１人当たり１２０ｇ（１食当たりの野菜の推奨摂取量、第２推奨摂取量）
目標レベル３：１人当たり１６０ｇ（１食当たりの野菜の推奨摂取量、第３推奨摂取量）
目標レベル４：１人当たり２００ｇ（１食当たりの野菜の推奨摂取量、第４推奨摂取量）
目標レベル５：１人当たり３５０ｇ（１日当たりの野菜の推奨摂取量）
これらのデータは、テーブルとして予め記憶部４０に記憶されている。
【００４０】
目標レベル５では、１日当たりの野菜の推奨摂取量として、上述の「２１世紀における国民健康づくり運動（健康日本２１）の推進について」（厚生労働省）で推奨されている、成人１日当たりの野菜の推奨摂取量（３５０ｇ）が設定されている。
目標レベル１から目標レベル４では、１食当たりの野菜の推奨摂取量が段階的に設定されている。標準的に１日３食をとる人が多いことを考慮して、目標レベル２では、目標レベル５「１人当たり３５０ｇ」のおおよそ３分の１の量である「１人当たり１２０ｇ」が設定され、目標レベル１では、レベル２よりもやや少ない量である「１人当たり１００ｇ」、目標レベル３では、目標レベル２よりもやや多い量である「１人当たり１６０ｇ」、目標レベル４では、目標レベル２よりもかなり多い量として「１人当たり２００ｇ」が設定されている。
【００４１】
図３は、クッキングスケール１０の設定（初期設定）の流れを説明するための、表示部７０の表示遷移の図である。表示部７０は、図３（ａ）に示すような表示要素を備えている。
【００４２】
（１）人数の設定
使用者が操作ボタン３４を長押しすることにより、設定モードが起動される（ステップＳ１、図３（ｂ））。
次に、使用者が操作ボタン３１、３２を操作することにより、所望の人数が選択される（ステップＳ２、図３（ｃ））。操作ボタン３１（数値増加ボタン）又は操作ボタン３２（数値減少ボタン）が押されるごとに、表示部７０内の人数表示が「−−」→「１」→「２」→「３」→「４」→「・・・」→「−−」と順次スクロール表示されるようになっている。使用者は、操作ボタン３１又は操作ボタン３２を何度か押すことによって「４」を表示させる。
続いて、「４」が表示されている状態で操作ボタン３４が押されることによって、人数データが確定される（ステップＳ３、図３（ｄ））。
【００４３】
（２）目標レベルの設定
使用者が操作ボタン３１又は操作ボタン３２を操作することにより、所望の目標レベルが選択される（ステップＳ４、図３（ｅ）、図４）。図４は、クッキングスケール１０の設定における目標レベルの選択の流れを説明するための、表示部の表示遷移の図である。
図４に示すように、操作ボタン３１又は操作ボタン３２が押されるごとに、表示部７０の目標レベルの数値表示が「レベル１／目標量１００．０ｇ／１人あたり」（図４（ａ））→「レベル２／目標量１２０．０ｇ／１人あたり」（図４（ｂ）、図３（ｅ））→「レベル３／目標量１６０．０ｇ／１人あたり」（図４（ｃ））→「レベル４／目標量２００．０ｇ／１人あたり」（図４（ｄ））→「レベル５／目標量３５０．０ｇ／１人あたり」（図４（ｅ））と順次スクロール表示されるようになっている。使用者は、操作ボタン３１又は操作ボタン３２を何度か押すことによって、一例として「レベル２／目標量１２０．０ｇ／１人あたり」を表示させる。
次に、「レベル２／目標量１２０．０ｇ／１人あたり」が表示されている状態で操作ボタン３４が押されることによって、目標レベルが確定される（ステップＳ５、図３（ｅ））。
【００４４】
（３）摂取目標量の決定
上述の工程により人数データと目標レベルとが確定されると、制御部８０は、演算部５０に摂取目標量を演算させる。上記の例では、人数データ「４」と、目標レベル「レベル２」（１食当たりの野菜の推奨摂取量、第２推奨摂取量）とが確定されているため、摂取目標量は、４人×１２０ｇ＝４８０ｇとして演算することができる。
制御部８０は、表示部７０に摂取目標量（「目標量４８０．０ｇ」）を所定時間（例えば１秒間）表示させる（ステップＳ６、図３（ｆ））。
摂取目標量（「目標量４８０．０ｇ」）が表示されている状態で操作ボタン３４が押されることによって摂取目標量が確定され、その他必要な内部処理を行い（ステップＳ７）、制御部８０は、設定モードを終了する。これにより、記憶部４０は、操作部３０の操作により入力された人数データ（「４人」）と、選択された摂取推奨量の値（「１２０ｇ」）と、を乗じた値（「４８０ｇ」）を、摂取目標量として記憶する。特に、記憶部４０は、操作部３０の操作により入力された人数データ（「４人」）と、選択された第１推奨摂取量（「１００ｇ」）、第２推奨摂取量（「１２０ｇ」）又は第３推奨摂取量（「１６０ｇ」）の値と、を乗じた値（「４８０ｇ」）を、摂取目標量として記憶する。
このステップＳ７の処理中は、表示部７０では、待機表示として、例えば図３（ｇ）及び（ｈ）に示すような表示を交互に表示させて、電源を切らないよう使用者に注意を促す。
【００４５】
（４）摂取目標量を直接入力する場合の初期設定
上記（３）の初期設定は、人数データ「４」と、４人総てに共通の目標レベル（「レベル２／目標量１人当たり１２０ｇ」）と、に基づいて、４人分の摂取目標量（４８０．０ｇ）を自動演算して設定するものであるが、これに対して、任意の摂取目標量を設定する場合の設定工程について、図５を参照して説明する。図５は、クッキングスケール１０の設定における摂取目標量を直接入力する場合の流れを説明するための、表示部７０の表示遷移の図である。
前記モデルケースにおける４人家族が、例えば、父親（成人男性）、母親（成人女性）、子供（成長期）、子供（幼少）という家族構成である場合のように、性別や年齢などに応じて、各人の適正な野菜摂取量を個々決定し、それらの合算値を摂取目標量として設定する方が、摂取目標量としての合理性を更に担保できる場合もある。
また、上記の通り、特に目標レベル１〜目標レベル３は、１日３食という食習慣を有する使用者を前提としたものであるため、摂取目標量を直接入力可能な設定処理によれば、例えば、１日３食未満又は１日４食以上という食習慣を有する使用者にとっても使い勝手がよいものとなる。即ち、例えば１日５食という食習慣を有する使用者であれば、１食当たりの摂取目標量を、３５０ｇの５分の１である「７０」に設定することが可能となる。
【００４６】
上述のステップＳ１（図３（ｂ））と同様に、使用者が操作ボタン３４を長押しすることにより、設定モードが起動される（ステップＳ１１、図５（ａ））。
次に、操作ボタン３１、３２を操作することにより、直接入力モードへ移行するための表示を選択する（ステップＳ１２、図５（ｂ））。操作方法は上述のステップＳ２、Ｓ３と同様であるが、ここでは、「−−」を選択、確定する。
【００４７】
「−−」が表示されている状態で操作ボタン３４が押されることによって、直接入力モードが起動され、表示部７０には、摂取目標量のデフォルト値「目標量４８０．０ｇ」が表示される（ステップＳ１３、図５（ｃ））。
次に、使用者が操作ボタン３１（数値増加ボタン）又は操作ボタン３２（数値減少ボタン）を操作することにより、摂取目標量が直接入力される（ステップＳ１４、図５（ｃ））。前記デフォルト値「目標量４８０．０ｇ」から、操作ボタン３１又は操作ボタン３２を押すごとに、予め定めた単位（例えば、１ｇ単位や１０ｇ単位）で数値を変更することができるようになっており、所望の摂取目標量になるまで操作ボタン３１又は操作ボタン３２を何度か押す。
続いて、所望の摂取目標量が表示されている状態で操作ボタン３４が押されることによって摂取目標量が確定され、その他必要な内部処理を行い（ステップＳ１５）、設定モードを終了する。なお、このステップＳ１５の処理中は、表示部７０では、待機表示として、例えば図３（ｇ）及び（ｈ）に示すような表示を交互に表示させて、電源を切らないよう使用者に注意を促す。
【００４８】
３．測定
図６、図７を参照して、クッキングスケール１０による測定処理について説明する。
ここでは、図３、図４に示す例、即ち、人数データ４人、目標レベル２、摂取目標量４８０ｇ、という初期設定をした場合について、毎食事時（各調理時）に、４人分の１食当たりの野菜摂取量（調理する野菜の分量）を測定する処理の流れを説明する。
（１）１食についての基本的な測定
【００４９】
図６は、本実施形態に係るクッキングスケール１０による測定の流れを説明するための、表示部７０の表示遷移の図である。
まず、電源が切られている状態において、操作ボタン３２が押されることによって測定モードが起動される（ステップＳ２１、図６（ａ））。
【００５０】
次に、操作ボタン３２が押された後、制御部８０は、ロードセル２０のゼロ点を更新するとともに、表示部７０に摂取目標量「目標量４８０．０ｇ」を表示させる（ステップＳ２２、図６（ｂ））。
ゼロ点更新の完了後、制御部８０は、表示部７０に待機表示をさせる（ステップＳ２３）。待機表示の具体例としては、表示部７０に、第１表示（図６（ｃ））と第２表示（図６（ｄ））とを、所定時間（例えば３秒）ごとに交互に表示させる。
ここで、第１表示（図６（ｃ））は、表示部７０の上段に、前回以前に測定した荷重値の合計荷重値（前回以前に測定した荷重値が未だ存在しないため、「合計０．０ｇ」を表示）、下段は今回測定した荷重値（未だ野菜を乗せていないため「０．０ｇ」を表示）をそれぞれ表示し、第２表示（図６（ｄ））は、表示部７０の上段に、残りの摂取目標量（初回測定時は初期設定で設定された摂取目標量「合計４８０．０ｇ」を表示）、下段に今回測定した荷重値（未だ野菜を乗せていないため「０．０ｇ」を表示）をそれぞれ表示する。
【００５１】
待機表示（図６（ｃ）（ｄ））中に、使用者が秤量台２１上に野菜を乗せると、その野菜により秤量台２１に与えられた荷重をロードセル２０が測定し、その荷重値が、表示部７０の下段に表示される（ステップＳ２４）。制御部８０は、荷重値が安定したと判断すると、今回測定した荷重値を記憶部４０に記憶させるとともに、表示部７０の左上部に安定マーク「○」を表示させ（ステップＳ２５）、第１表示（図６（ｅ））と第２表示（図６（ｆ））とを、所定時間ごとに交互に表示させる。
【００５２】
表示部７０に安定マーク「○」が表示されているときに、使用者が操作ボタン３４を押すと、制御部８０は、演算部５０に対して、合計荷重値の演算、残りの摂取目標量の演算、及び、摂取達成度の演算を実行させる。演算部５０による演算結果は、記憶部４０に記憶される（ステップＳ２６）。また、ステップＳ２６での演算後、判別部６０は、合計荷重値が摂取目標量を達成したか否かを判別するとともに、達成した場合には、フラグデータを書き換えて、摂取目標量を達成したことを示す達成フラグを立てる。
【００５３】
制御部８０は、第１表示（図６（ｇ））と第２表示（図６（ｈ））とを、所定時間（例えば３秒）ごとに交互に表示させる（ステップＳ２７）。ここで、第１表示（図６（ｇ））は、前回以前に測定した荷重値と今回測定した荷重値とが合算された合計荷重値、今回測定した荷重値（３００ｇ）、及び／又は、摂取達成度を含み、第２表示（図６（ｈ））は、摂取目標量から前回以前に測定した荷重値と今回測定した荷重値とを減算した残りの摂取目標量、今回測定した荷重値（３００ｇ）、及び／又は、摂取達成度を含む。
なお、第１表示（図６（ｇ））における「前回以前に測定した荷重値と今回測定した荷重値とが合算された合計荷重値」は、第１回目の測定においては「前回以前に測定した荷重値」が存在せず「０」であるため、今回測定した荷重値（３００ｇ）が表示されることになる。また第２表示（図６（ｈ））における「摂取目標量から前回以前に測定した荷重値と今回測定した荷重値とを減算した残りの摂取目標量」は、初期設定で設定されている摂取目標量（４８０ｇ）から、今回測定した荷重値（３００ｇ）」が減算された「１８０ｇ」が表示される。
【００５４】
第１表示（図６（ｇ））及び第２表示（図６（ｈ））における「摂取達成度」は、「初期設定で設定されている摂取目標量（４８０ｇ）」に対する、「前回以前に測定した荷重値と今回測定した荷重値とが合算された合計荷重値（３００ｇ）」の占める割合を表示すればよい。一見して把握することができるように、例えば、黒星印１つにつき２０％とする全５段階表示（図３（ａ）参照）で表すのが好適である。上記の例では、摂取達成度は、６２．５％となるため、黒星記３つを表示している。
【００５５】
ステップＳ２７の終了後、使用者が秤量台２１上から野菜を取り除くと、制御部８０は表示部７０に待機表示させ（ステップＳ２８）、次の野菜の重量を測ることができる状態になる。このとき、表示部７０は、第１表示（図６（ｉ））と第２表示（図６（ｊ））を所定時間ごとに交互に表示する。
ここで表示される第１表示（図６（ｉ））及び第２表示（図６（ｊ））は、上記した第１表示（図６（ｃ））及び第２表示（図６（ｄ））とは、次の点で異なっている。第１表示（図６（ｉ））は、表示部７０の上段に、前回以前に測定した荷重値の合計荷重値として「合計３００ｇ」が表示されている。第２表示（図６（ｊ））は、表示部７０の上段に、残りの摂取目標量として「あと１８０．０ｇ」が表示される。
【００５６】
次の野菜が秤量台２１上に乗せられると、上述のＳ２４以降の工程を繰り返す。１食で摂取を予定している総ての野菜の重量を、上記の手順に従って順次測定を行う。
ステップＳ２８の待機表示中に操作ボタン３１が押された場合は、制御部８０はパワーオフを実行する。ステップＳ２８の待機表示の開始から一定時間何も操作がない場合にも、制御部８０は自動的にパワーオフを実行してもよい。
【００５７】
（２）２食目以降の測定
上述のようにして、１食目（例えば朝食）についての測定が終わり、キッチンスケール１０をパワーオフした後、２食目（例えば昼食）での使用を開始する時は、使用者は、操作ボタン３３を押してキッチンスケール１０を起動し、操作ボタン３３を押す。操作ボタン３３の操作により、制御部８０は、測定期間（朝食、昼食、夕食）を区切る、すなわち、次の時間帯の食事での測定に移ったと判断することができ、表示部７０上段の合計荷重値及び残りの摂取目標量が０にリセットされる（図６（ｃ）参照）。
【００５８】
なお、キッチンスケール１０を、「１日」ごとに、１日の摂取目標量（３５０ｇ）を達成している否かを把握することを目的として使用する場合には、初期設定で目標レベル５に設定しておく。測定モードでは、上記のように１食ごとに「合計クリア」ボタンを押すのではなく、毎日、決まった食事（例えば朝食）の測定前にだけ、操作ボタン３３を押すようにすればよい。このような操作ボタン３３の操作により、制御部８０は、測定期間（１日）を区切る、すなわち、次の日の測定に移ったと判断することができ、表示部７０上段の合計荷重値及び残りの摂取目標量が０にリセットされる。
摂取目標量の達成を判別するための測定期間は、上述の１食、１日に限らず、例えば１週間など、任意に設定できるようにしてもよい。
【００５９】
（３）摂取目標量を達成した場合
上述のように、合計荷重値が摂取目標量を達成した場合は、判別部６０は、フラグデータを書き換えて、摂取目標量を達成したことを示す達成フラグを立てる。さらに、判別部６０は、１日３回の各食事（朝食、昼食、夕食）時の測定の総てにおいて、前記達成フラグが立った場合には、祝福フラグを立てる。
祝福フラグが立てられ、キッチンスケール１０がパワーオフされた後、次に初めて起動（電源オン）されたとき、制御部８０は、表示部７０に対して、予め記憶部４０に記憶されている祝福画像（図７（ａ）、（ｂ））を所定時間ごとに交互に表示させる。
ここで、図７は、クッキングスケール１０による測定において、摂取目標量を達成した場合の祝福画像の表示例を示す図である。祝福画像は、一例として、図７に示すようなウィンクをする顔の画像とすればよいが、特に限定されない。また、祝福画像に代えて、又は祝福画像の表示に加えて、音声等で摂取目標量の達成を報知してもよい。
制御部８０は、祝福画像の交互表示を所定回数繰り返した後に、表示部７０を目標量の表示（図６（ｂ））に変更し、フラグデータをリセットする。
【００６０】
以上のように構成されたことから、上記実施形態によれば、次の効果を奏する。
（１）摂取目標量を容易に設定でき、野菜摂取量を容易に測定することができる。
（２）野菜摂取量及び摂取目標量を別途記録・管理するという煩わしい作業が必要ないため、野菜の摂取、ひいては健全な食生活のモチベーションを維持することができる。
（３）１食、１日その他の測定期間について、摂取目標量を達成できているかを簡便に把握することが可能となる。
（４）１人分の野菜の摂取量のチェックはもちろん、複数人分の野菜の摂取量のチェックをまとめて行うことができる。
【００６１】
＜変形例１＞
図８及び図９は、変形例１における設定の流れを説明するための、表示部の表示遷移の図である。図８はステップＳ３１〜Ｓ３８を示し、図９は図８のステップＳ３８に続くステップＳ３９〜Ｓ４６を示す。
上記第１実施形態における初期設定（上記２．（２）（３））は、人数データ「４」と、４人総てに共通の目標レベル（「レベル２／目標量１人当たり１２０ｇ」）と、に基づいて、４人分の摂取目標量（４８０．０ｇ）を自動演算して設定するものであるが、変形例１は、４人それぞれ別の目標レベルを設定することができるものである。
これにより、第１実施形態における初期設定（上記２．（２）（３））のように、４人総てに共通の目標レベルを設定するのではなく、各人に合わせて目標レベルを設定でき、４人分の摂取目標量としての合理性を更に担保できる。また、第１実施形態における初期設定（上記２．（４））のように、使用者が予め各人の適正な摂取目標量を合算しておくという作業をも軽減することができる。
以下、図８、図９に沿って設定処理を説明する。なお、摂取目標量の設定以外の処理は上記第１実施形態と同様である。
【００６２】
使用者が操作ボタン３４を長押しすることにより、設定モードが起動される（ステップＳ３１、図８（ａ））
次に、使用者が操作ボタン３１、３２を操作することにより、所望の人数が選択される（ステップＳ３２、図８（ｂ））。操作ボタン３１又は操作ボタン３２が押されるごとにスクロール表示される点は第１実施形態と同様である。使用者は、操作ボタン３１又は操作ボタン３２を何度か押すことによって「４」を表示させる。
続いて、「４」が表示されている状態で操作ボタン３４が押されることによって、人数データが確定される（ステップＳ３３、図８（ｃ））。
【００６３】
次に、各対象者（使用者）ごとに目標レベルを設定する。
まず、表示部７０に第１対象者の設定状態であることを示す「−１−」が表示（ステップＳ３４、図８（ｄ））された後、第１対象者（例えば父親）の目標レベルを選択する。目標レベルは、操作ボタン３１又は操作ボタン３２を押すごとに、表示部７０上に「レベル１／目標量１００．０ｇ／１人あたり」→「レベル２／目標量１２０．０ｇ／１人あたり」→「レベル３／目標量１６０．０ｇ／１人あたり」→「レベル４／目標量２００．０ｇ／１人あたり」→「レベル５／目標量３５０．０ｇ／１人あたり」→「レベル１／目標量１００．０ｇ／１人あたり」と順次スクロール表示されるようになっており、使用者は、操作ボタン３１又は操作ボタン３２を操作して、所望の目標レベルを選択する。使用者は、操作ボタン３１又は操作ボタン３２を何度か押すことによって、一例として「レベル３／目標量１６０．０ｇ／１人あたり」を表示させる（ステップＳ３５、図８（ｅ））。
次に、「レベル３／目標量１６０．０ｇ／１人あたり」が表示されている状態で操作ボタン３４が押されることによって、第１対象者の目標レベルが確定される（ステップＳ３６、図８（ｆ））。
【００６４】
次に、表示部７０に第２対象者の設定状態であることを示す「−２−」が表示（ステップＳ３４、図８（ｇ））された後、第２対象者（例えば母親）の目標レベルを選択する。
使用者は、操作ボタン３１又は操作ボタン３２を何度か押すことによって、一例として「レベル２／目標量１２０．０ｇ／１人あたり」を表示させる（ステップＳ３８、図８（ｈ））。
次に、「レベル２／目標量１２０．０ｇ／１人あたり」が表示されている状態で操作ボタン３４が押されることによって、第２対象者の目標レベルが確定される（ステップＳ３９、図９（ａ））。
【００６５】
さらに、表示部７０に第３対象者の設定状態であることを示す「−３−」が表示（ステップＳ４０、図９（ｂ））された後、第３対象者（例えば長男）の目標レベルを選択する。使用者は、操作ボタン３１又は操作ボタン３２を何度か押すことによって、一例として「レベル２／目標量１２０．０ｇ／１人あたり」を表示させる（ステップＳ４１、図９（ｃ））。
次に、「レベル２／目標量１２０．０ｇ／１人あたり」が表示されている状態で操作ボタン３４が押されることによって、第３対象者の目標レベルが確定される（ステップＳ４２、図９（ｄ））。
【００６６】
最後に、表示部７０に第４対象者の設定状態であることを示す「−４−」が表示（ステップＳ４３、図９（ｅ））された後、第４対象者（例えば次男）の目標レベルを選択する。使用者は、操作ボタン３１又は操作ボタン３２を何度か押すことによって、一例として「レベル１／目標量１００．０ｇ／１人あたり」を表示させる（ステップＳ４４、図９（ｆ））。
次に、「レベル１／目標量１００．０ｇ／１人あたり」が表示されている状態で操作ボタン３４が押されることによって、第４対象者の目標レベルが確定される（ステップＳ４５、図９（ｆ））。
【００６７】
以上の操作（ステップＳ３１〜Ｓ４５）によって、４人全員のそれぞれの目標レベルの設定が完了すると、制御部８０は、演算部５０に摂取目標量を演算させる。
上記の例では、目標レベル「レベル１」（１食当たりの野菜の推奨摂取量、第１推奨摂取量）の該当人数データは「１」（第４対象者）、目標レベル「レベル２」（１食当たりの野菜の推奨摂取量、第２推奨摂取量）の該当人数データは「２」（第２対象者及び第３対象者）、目標レベル「レベル３」（１食当たりの野菜の推奨摂取量、第３推奨摂取量）の該当人数データは「１」（第１対象者）、となっているので、摂取目標量は、１人×１００ｇ＋２人×１２０ｇ＋１人×１６０ｇ＝５００ｇとして演算することができる。このように、演算部５０は、第１推奨摂取量の該当人数データ、第２推奨摂取量の該当人数データ、及び、第３推奨摂取量の該当人数データ、に基づいて、推奨摂取量の値を演算することができる。
制御部８０は、表示部７０に摂取目標量（「目標量５００．０ｇ」）を所定時間（例えば１秒間）表示させる（ステップＳ４６、図９（ｈ））。
摂取目標量（「目標量５００．０ｇ」）が表示されている状態で操作ボタン３４が押されることによって摂取目標量が確定され、その他必要な内部処理を行い、制御部８０は、設定モードを終了する。これにより、記憶部４０は、操作部３０の操作により入力された、第１推奨摂取量（「１００ｇ」）の該当人数データ（「１人」）、第２推奨摂取量（「１２０ｇ」）の該当人数データ（「２人」）、及び、第３推奨摂取量（「１６０ｇ」）の該当人数データ（「１人」）、に基づいて、演算部５０が演算した推奨摂取量の値（「５００ｇ」）を、摂取目標量として記憶する。
【００６８】
＜変形例２＞
変形例２においては、初期設定時に、年齢、性別、体格（体重及び／又は身長を含む）及び／又は生活習慣等の使用者データを設定する。設定は操作ボタン３１〜３４を用いて行う。ここで、生活習慣とは、例えば、所定期間における外食の頻度（外食率）が挙げられる。演算部５０は、予め定められたプログラムに従って、操作部３０の操作によって入力された使用者の年齢、性別、体格及び／又は外食率に関するデータに基づいて、摂取目標量を補正するようにしてもよい。
【００６９】
＜第２実施形態＞
第２実施形態は、第１実施形態のクッキングスケール１０の操作部３０に、秤量台２１に乗せる摂取対象物である野菜の種類に関する情報を入力するための操作部を含む。
【００７０】
（実施例１）操作部３０は、秤量台２１に乗せる摂取対象物である野菜が、緑黄色野菜であることを入力するための第１操作部として「緑黄色野菜ボタン」、及び、緑黄色野菜以外の野菜であることを入力するための第２操作部として「その他の野菜ボタン」（いずれも図に示さず。）を含む。この実施例１では、測定前に、例えば図６のステップＳ２４の直前に、これから乗せようとする野菜の種類に応じて、「緑黄色野菜ボタン」又は「その他の野菜ボタン」を使用者に操作させるようにする。
これにより、演算部５０は、「緑黄色野菜ボタン」の入力と関連付けられた荷重値に関して、ロードセル２０が前回以前に測定した荷重値と、ロードセル２０が今回測定した荷重値と、を合算することによって、緑黄色野菜の合計荷重値を演算する。また、演算部５０は、「その他の野菜ボタン」の入力と関連付けられた荷重値に関して、ロードセル２０が前回以前に測定した荷重値と、ロードセル２０が今回測定した荷重値と、を合算することによって、緑黄色野菜以外の野菜の合計荷重値を演算する。制御部８０は、それぞれの合計荷重値を記憶部４０に記憶させる。更に、表示部７０は、緑黄色野菜の合計荷重値、及び、緑黄色野菜以外の野菜の合計荷重値を表示する。
【００７１】
（実施例２）操作部３０は、秤量台２１に乗せる野菜の種類を入力する種類入力部を含む。種類入力部は、（ａ）操作ボタン３１〜３４であって、表示部７０に表示される野菜の種類を選択・決定することにより野菜の種類を入力できるものであってもよいし、又は、（ｂ）操作ボタン３１〜３４とは別の、野菜の種類ごとに細分化された複数の「野菜ボタン」として構成するものであってもよい（いずれも図に示さず。）。
これにより、演算部５０は、種類入力部の入力と関連付けられた荷重値に関して、ロードセル２０が前回以前に測定した荷重値と、ロードセル２０が今回測定した荷重値と、を合算することによって、野菜の種類ごとに合計荷重値を演算する。制御部８０は、それぞれの合計荷重値を記憶部４０に記憶させる。更に、表示部７０は、野菜の種類ごとの合計荷重値を表示する。
更に、初期設定における操作部３０の操作によって、成長促進、美容、病気予防又はダイエットに関する目的データを入力可能であり、演算部５０は、予め定められたプログラムに従って、操作部３０の操作によって入力された目的データに基づいて、摂取目標量を補正したり、摂取を推奨する野菜ごとの摂取目標量を決定したりしてもよい。
【００７２】
（実施例３）図１０は、第２実施形態におけるテーブルの例を示す表である。実施例３では、実施例２の種類入力部を有し、図１０に示すような、可食率を野菜の種類に対応して示した可食率テーブル、及び／又は、調理による野菜の重量変化率を野菜の種類及び調理法に対応して示した重量変化率テーブル、を記憶部４０に予め保存している。ここで、可食率は、調理前の野菜の重量（ヘタや芯や皮等を含む。）に対する、調理後に摂取することのできる重量（ヘタや芯や皮等を除いたもの。）の割合である。また、重量変化率は、調理前の生野菜の重量が、調理によって変化する重量の割合である。
図１０では、各野菜について、可食率、炒めた場合の重量変化率、茹でた場合の重量変化率、をそれぞれ示している。なお、図１０では、重量変化率のテーブルとして、炒めた場合と茹でた場合を示したが、これら以外の調理法に関する重量変化率のテーブルを作成してもよい。
【００７３】
演算部５０は、種類入力部の入力と関連付けられた荷重値を、可食率テーブル（図１０）に基づいて補正する。
第１実施形態及びその変形例では、調理する直前の状態、即ち、ヘタや芯や皮等を取り除いた状態で秤量台２１に乗せなければならないが、この実施例３によれば、ヘタや芯や皮等を取り除いていない状態の野菜を秤量台２１にそのまま乗せて測定することができる点で、利便性が向上する。
【００７４】
また、操作部３０は、秤量台２１に乗せる野菜の調理法を入力する調理法入力部を含み、演算部５０は、種類入力部及び調理法入力部の各入力と関連付けられた荷重値を、重量変化率テーブル（図１０）に基づいて補正する。
第１実施形態及びその変形例では、摂取目標量として、生野菜時における重量を基準とする場合には、調理する直前の状態の野菜について測定を行う必要があるが、この実施例３によれば、調理後の野菜から調理前の生野菜の重量を演算することができる。これにより、例えば、調理後の惣菜等を買ってきて食べることもある使用者のための、利便性向上を図ることができる。
厚生労働省の前記指標（３５０ｇ）は、「生野菜」での重量であるため、惣菜等のように調理済みの野菜については、生野菜の状態であったら何グラムであったのか、ということを考慮する必要がある。そのために、重量変化率テーブルにおいては、代表的な調理法によって各野菜がどのくらいの重量変化（減少）するのか、をテーブルデータ化しており、これにより、調理済みの野菜を秤量台２１に乗せただけで、相当する生野菜としての重量を前記テーブルに基づいて自動計算することが可能となる。
【００７５】
第１実施形態及びその変形例、並びに、第２実施形態においては、厚労省の前記指標（３５０ｇ）は生野菜を基準にしているが、調理後の野菜を何グラムという基準を用いてもよく、この場合は、生野菜を秤量台に乗せて測定し、調理後の野菜の重量を推定してもよい。
なお、その他の構成、作用、効果は第１実施形態と同様である。
【００７６】
＜第３実施形態＞
第３実施形態に係るクッキングスケールは、第１実施形態のクッキングスケール１０の構成に加えて、ロードセル２０が荷重値を測定したときの時刻を取得する時間情報取得部を備え、記憶部４０は、荷重測定部が測定した荷重値を時刻に対応させて記憶する。
第１実施形態のクッキングスケール１０では、操作ボタン３４が押されたことで、１つの測定期間（例えば１食、１日）の測定が終わったとして区切るものである。これに対して、第３実施形態においては、時間情報取得部を備える構成としたことにより、時刻に応じて３食のいずれの食事での測定であるかを判別することができる。このような構成により、測定期間を区切るための操作ボタン３４の操作を割愛でき、また、操作ボタン３４の押し忘れによる誤記録等を防止することが可能となる。
【００７７】
また、第３実施形態に係るクッキングスケールは、第１実施形態のクッキングスケール１０の構成に加えて、ロードセル２０が荷重値を測定したときの曜日及び時刻を取得する時間情報取得部と、摂取パターン取得部と、を備え、記憶部４０は、荷重測定部が測定した荷重値を曜日及び時刻に対応させて記憶する。摂取パターン取得部は、記憶部４０に記憶された荷重値と曜日及び時刻とに基づいて、食事の時間帯と毎食事時における野菜の摂取量とに関する野菜摂取パターン情報を取得する。演算部５０は、摂取目標量に対する野菜摂取量の摂取達成度を、野菜摂取パターン情報に基づく補正をして演算し、表示部７０は、この摂取達成度を表示する。
このように、第３実施形態のクッキングスケールは、使用者の食習慣学習機能を備えている。この食習慣学習機能は、一定期間、同じ使用者の測定結果を自動集計し、朝食・昼食・夕食、更には、平日と休日との差異を含めて、それぞれの食事における野菜の摂取量の統計データを自動的に構築するものである。
例えば、ある朝食分の野菜の摂取量について、測定し忘れた場合、急いでいて測る時間がなく測れなかった場合、夕食は外食してしまったために測定できなかったような場合は、前記の統計データに基づいて、推定摂取量が自動的に入力されるようにする。
なお、その他の構成、作用、効果は第１実施形態と同様である。
【００７８】
＜第４実施形態＞
第４実施形態に係る測定システムは、上記各実施形態のクッキングスケール１０（秤）のうちの一部の機能を、スマートフォン、携帯電話機、タブレット端末機、パーソナルコンピュータなどの端末機（外部機器）側で実現するものである。
【００７９】
（実施例１）
実施例１は、上記第１乃至第３実施形態のクッキングスケール１０（秤）のうち、摂取対象物の摂取目標量を設定するための操作部と、摂取目標量及び荷重測定部が測定した荷重値を記憶する記憶部と、摂取目標量から荷重測定部が測定した荷重値を減算することによって残りの摂取目標量を演算する演算部と、残りの摂取目標量を表示する表示部と、の機能を、外部の端末機が備える操作部、記憶部、演算部及び表示部において実行させるものである。
従って、この実施例１における秤では、摂取対象物の摂取目標量を設定するための操作部、摂取目標量及び荷重測定部が測定した荷重値を記憶する記憶部、摂取目標量から荷重測定部が測定した荷重値を減算することによって残りの摂取目標量を演算する演算部、及び／又は、残りの摂取目標量を表示する表示部、を有しない構成とすることが可能である。
【００８０】
（実施例２）
実施例２は、上記第１乃至第３実施形態のクッキングスケール１０（秤）のうち、摂取対象物の摂取目標量を設定するための操作部の機能を、外部の端末機が備える操作部において実行させるものである。
従って、実施例２における秤では、摂取対象物の摂取目標量を設定するための操作部を有しない構成とすることが可能である。
【００８１】
前記実施例１及び実施例２における秤は、端末機とデータの通信を行うための端末機側通信部を備え、端末機は、秤とデータの通信を行うための端末機側通信部を備える。前記実施例１及び実施例２における秤は、荷重測定部と秤側通信部とを制御する制御部と、該制御部に作用する電源オンオフ操作部と、を備え、更に、荷重測定部により測定された荷重を表示する表示部を備える構成としてもよい。
また、前記実施例１及び実施例２における秤及び端末機は、有線接続して通信することができるものであってもよいし、無線（例えば、赤外線通信、Ｗｉ−Ｆｉ（ｗｉｒｅｌｅｓｓ  ｆｉｄｅｌｉｔｙ：登録商標）等）で通信することができるものであってもよい。
なお、前記実施例１及び実施例２における端末機（外部機器）は、秤側通信部及び端末機側通信部を介した通信によって荷重値を受け取る構成に限られず、秤で測定された荷重値が入力される入力部を備える構成であってもよい。この入力部は、数値を直接入力可能な操作部により実現してもよいし、秤で測定された荷重値を記録した記録媒体を読み取り可能なインターフェースにより実現してもよく、特に限定されない。
【００８２】
第４実施形態に係る測定システムによれば、特に前記第２実施形態や第３実施形態における、多くの入力事項を入力するための操作部を秤に設ける必要がなく、秤における処理及び構成の簡略化が図れ、かつ、操作性のよい外部端末によって効率よく入力操作を行うことができるので、利便性の向上を図ることができる。
なお、その他の作用、効果は第１実施形態乃至第３実施形態と同様である。
【００８３】
本発明について上記実施形態を参照しつつ説明したが、本発明は上記実施形態に限定されるものではなく、改良の目的または本発明の思想の範囲内において改良または変更が可能である。
摂取対象物は、野菜に限定されるものではなく、タンパク質、炭水化物、糖質、脂質、ミネラル、ビタミンなどでもよい。
また、ダイエットや糖尿病などのために食事制限を行う目的で前記秤又は測定システムを用いる場合において、前記目標摂取量は、（例えば１日当たり）制限された食物の摂取量、即ち、目標制限摂取量として表示部に表示するようにしてもよい。
【産業上の利用可能性】
【００８４】
以上のように、本発明に係る秤及び測定システムは、摂取対象物（特に野菜）の摂取量の測定及び目標量のチェックに有用である。
【符号の説明】
【００８５】
１０    クッキングスケール（秤）
２０    ロードセル（荷重測定部）
２１    秤量台
３０    操作部
３１、３２、３３、３４  操作ボタン
４０    記憶部
５０    演算部
６０    判別部
７０    表示部
８０    制御部
【図１】
2014153227.tif 000003
【図２】
2014153227.tif 000004
【図３】
2014153227.tif 000005
【図４】
2014153227.tif 000006
【図５】
2014153227.tif 000007
【図６】
2014153227.tif 000008
【図７】
2014153227.tif 000009
【図８】
2014153227.tif 000010
【図９】
2014153227.tif 000011
【図１０】
2014153227.tif 000012